【事件の表示】
　特願２０１７−５３６９９５「ピクセル構造およびその表示方法、表示装置」拒絶査定不服審判事件〔平成２８年　４月　７日国際公開、ＷＯ２０１６／０５００１８、平成２９年１１月　９日国内公表、特表２０１７−５３３４７５〕について、次のとおり審決する。
【結　論】
　本件審判の請求は、成り立たない。
【理　由】
第１　手続の経緯 
　本願は、２０１５年（平成２７年）１月２０日（パリ条約による優先権主張外国庁受理２０１４年（平成２６年）９月３０日　中国）を国際出願日とする外国語特許出願であって、その手続の経緯は以下のとおりである。
　平成２７年１１月２０日　　：翻訳文の提出
　平成３０年　７月１２日付け：拒絶理由通知書
　平成３０年１０月１９日　　：意見書、手続補正書の提出
　（手続補正書の補正対象：特許請求の範囲）
　平成３０年１０月２５日付け：拒絶査定
　（査定の謄本の送達日：平成３０年１１月　５日）
　平成３１年　３月　５日　　：審判請求書、手続補正書の提出
　（手続補正書の補正対象：特許請求の範囲）
第２　補正の却下の決定 
［補正の却下の決定の結論］ 
　平成３１年３月５日にされた補正（以下「本件補正」という。）を却下する。
［理由］
１　本件補正の内容 
　本件補正は、特許請求の範囲の請求項１についての補正を含む。
　本件補正前及び本件補正後の請求項１の記載は、以下のとおりである。下線は補正箇所を示すため、当合議体が付した。
（１）本件補正前
「　【請求項１】
　順に交互に配列された第１ピクセル単位と第２ピクセル単位を含むピクセル構造であって、前記第１ピクセル単位は斜線状に配列された第１サブピクセルと第２サブピクセルとを含み、前記第２ピクセル単位は斜線状に配列された第３サブピクセルと第４サブピクセルとを含み、前記第１サブピクセルと前記第３サブピクセルは異なる基本色を備え、前記第２サブピクセルと前記第４サブピクセルは同一の基本色を備え、
　前記基本色は３色の基本色を含み、
　前記第１ピクセル単位は、前記第１ピクセル単位の前記第１サブピクセルおよび前記第２サブピクセルから、ならびに前記第１ピクセル単位の右側、左側、上側、および下側の４つの隣り合う第２ピクセル単位における４つの第３サブピクセルのうちの１つまたは複数の第３サブピクセルからの３色の基本色を混色することによって３色の基本色を表示し、前記第１ピクセル単位の前記第１サブピクセルの中心と４つの隣り合う第２ピクセル単位の４つの第３サブピクセルの中心との間の距離が同一であり、
　前記第２ピクセル単位は、前記第２ピクセル単位の前記第３サブピクセルおよび前記第４サブピクセルから、ならびに前記第２ピクセル単位の右側、左側、上側、および下側の４つの隣り合う前記第１ピクセル単位における４つの第１サブピクセルのうちの１つまたは複数の第１サブピクセルからの３色の基本色を混色することによって３色の基本色を表示し、前記第２ピクセル単位の前記第３サブピクセルの中心と４つの隣り合う第１ピクセル単位の４つの第１サブピクセルの中心との間の距離が同一である、ピクセル構造。」
（２）本件補正後 
「　【請求項１】
　順に交互に配列された第１ピクセル単位と第２ピクセル単位を含むピクセル構造であって、前記第１ピクセル単位は斜線状に配列された第１サブピクセルと第２サブピクセルとを含み、前記第２ピクセル単位は斜線状に配列された第３サブピクセルと第４サブピクセルとを含み、前記第１サブピクセルと前記第３サブピクセルは異なる基本色を備え、前記第２サブピクセルと前記第４サブピクセルは同一の基本色を備え、
　前記基本色は３色の基本色を含み、
　前記第１ピクセル単位は、前記第１ピクセル単位の前記第１サブピクセルおよび前記第２サブピクセルから、ならびに前記第１ピクセル単位
の列方向において隣り合う上側お
２
の第
２
少なくとも１つの
２
２
　前記第２ピクセル単位は、前記第２ピクセル単位の前記第３サブピクセルおよび前記第４サブピクセルから、ならびに前記第２ピクセル単位
の列方向において隣り合う上側お
２
の前
２
少なくとも１つの
列方向の２
２
２　補正の目的 
（１）本件補正は、本件補正前の「前記第１ピクセル単位は、前記第１ピクセル単位の前記第１サブピクセルおよび前記第２サブピクセルから、ならびに前記第１ピクセル単位の右側、左側、上側、および下側の４つの隣り合う第２ピクセル単位における４つの第３サブピクセルのうちの１つまたは複数の第３サブピクセルからの３色の基本色を混色することによって３色の基本色を表示」するという構成を、本件補正後の「前記第１ピクセル単位は、前記第１ピクセル単位の前記第１サブピクセルおよび前記第２サブピクセルから、ならびに前記第１ピクセル単位の列方向において隣り合う上側および下側の２つの第２ピクセル単位における２つの第３サブピクセルのうちの少なくとも１つの第３サブピクセルからの３色の基本色を混色することによって３色の基本色を表示」するという構成に変更する補正事項（以下、「補正事項Ａ」という。）を含むものである。
　該補正事項Ａは、「３色の基本色を混色することによって３色の基本色を表示」する際に、その「基本色」として用いる「第３サブピクセル」について、本件補正前に「前記第１ピクセル単位の右側、左側、上側、および下側の４つの隣り合う第２ピクセル単位における４つの第３サブピクセルのうちの１つまたは複数の第３サブピクセル」としていたものを、本件補正後に「前記第１ピクセル単位の列方向において隣り合う上側および下側の２つの第２ピクセル単位における２つの第３サブピクセルのうちの少なくとも１つの第３サブピクセル」へ変更するもの（すなわち、「第３サブピクセル」の選択肢を、本件補正前の「前記第１ピクセル単位の右側、左側、上側、および下側の４つ」の「第３サブピクセル」から、本件補正後の「前記第１ピクセル単位の列方向において隣り合う上側および下側の２つ」の「第３サブピクセル」に限定するもの）であると認められる。
　してみると、該補正事項Ａは、「第１ピクセル単位」が「３色の基本色を混色することによって３色の基本色を表示」する際に、その「基本色」として用いる「第３サブピクセル」の選択肢の数を４つから２つに減らすことにより、「第１ピクセル単位」に関して特定される範囲を限定するものである。
（２）本件補正は、本件補正前の「前記第２ピクセル単位は、前記第２ピクセル単位の前記第３サブピクセルおよび前記第４サブピクセルから、ならびに前記第２ピクセル単位の右側、左側、上側、および下側の４つの隣り合う前記第１ピクセル単位における４つの第１サブピクセルのうちの１つまたは複数の第１サブピクセルからの３色の基本色を混色することによって３色の基本色を表示」するという構成を、本件補正後の「前記第２ピクセル単位は、前記第２ピクセル単位の前記第３サブピクセルおよび前記第４サブピクセルから、ならびに前記第２ピクセル単位の列方向において隣り合う上側および下側の２つの前記第１ピクセル単位における２つの第１サブピクセルのうちの少なくとも１つの第１サブピクセルからの３色の基本色を混色することによって３色の基本色を表示」するという構成に変更する補正事項（以下、「補正事項Ｂ」という。）を含むものである。
　してみると、該補正事項Ｂは、上記補正事項Ａと同様の補正内容となっているから、上記補正事項Ａと同様に、「第２ピクセル単位」が「３色の基本色を混色することによって３色の基本色を表示」する際に、その「基本色」として用いる「第１サブピクセル」の選択肢の数を４つから２つに減らすことにより、「第２ピクセル単位」に関して特定される範囲を限定するものである。
（３）本件補正は、本件補正前の「前記第１ピクセル単位の前記第１サブピクセルの中心と４つの隣り合う第２ピクセル単位の４つの第３サブピクセルの中心との間の距離が同一であ」るという構成を、本件補正後の「前記第１ピクセル単位の前記第１サブピクセルの中心と２つの隣り合う第２ピクセル単位の２つの第３サブピクセルの中心との間の距離が同一であ」るという構成に変更する補正事項（以下、「補正事項Ｃ」という。）を含むものである。
　該補正事項Ｃは、「前記第１ピクセル単位の前記第１サブピクセルの中心と」「隣り合う第２ピクセル単位の４つの第３サブピクセルの中心との間の距離」について、４つとも同一であったものを、２つが同一で、残りの２つは任意に変更するものである。
　してみると、該補正事項Ｃは、「第１ピクセル単位」について、その「第１ピクセルの中心」と「隣り合う第２ピクセル単位の」「第３サブピクセルの中心との間の距離」に関する限定を省くものである。
（４）本件補正は、本件補正前の「前記第２ピクセル単位の前記第３サブピクセルの中心と４つの隣り合う第１ピクセル単位の４つの第１サブピクセルの中心との間の距離が同一であ」るという構成を、本件補正後の「前記第２ピクセル単位の前記第３サブピクセルの中心と列方向の２つの隣り合う第１ピクセル単位の２つの第１サブピクセルの中心との間の距離が同一であ」るという構成に変更する補正事項（以下、「補正事項Ｄ」という。）を含むものである。
　該補正事項Ｄは、「前記第２ピクセル単位の前記第３サブピクセルの中心と」「隣り合う第１ピクセル単位の４つの第１サブピクセルの中心との間の距離」について、４つとも同一であったものを、２つが同一で、残りの２つは任意に変更するものである。
　してみると、該補正事項Ｄは、「第２ピクセル単位」について、その「第３ピクセルの中心」と「隣り合う第１ピクセル単位の」「第１サブピクセルの中心との間の距離」に関する限定を省くものである。
（５）補正事項Ａ、Ｂは、「第１ピクセル単位」又は「第２ピクセル単位」が３色の基本色を混色することによって３色の基本色を表示する際に、その基本色として用いるサブピクセルの選択肢の数に限定を加える補正事項である。
　一方、補正事項Ｃ、Ｄは、「第１ピクセル単位」又は「第２ピクセル単位」のサブピクセルの中心と、それに隣り合う「第２ピクセル単位」又は「第１ピクセル単位」のサブピクセルの中心との距離に関する限定を省く補正事項である。
　そうすると、「第１ピクセル単位」は、補正事項Ａによって基本色として用いるサブピクセルの選択肢の数という観点から限定が加えられる一方、これとは別観点、すなわち、サブピクセルの中心間の距離という観点からは限定が省かれている。したがって、補正事項Ａ及び補正事項Ｃを併せて考慮しても、「第１ピクセル単位」についての特定事項が限定されるものではない。同様に、補正事項Ｂ及び補正事項Ｄを併せて考慮しても、「第２ピクセル単位」についての特定事項が限定されるものではない。
　以上のとおりであるから、本件補正は、特許請求の範囲の減縮を目的とするものには該当しない。
　また、本件補正は、請求項の削除、誤記の訂正、明瞭でない記載の釈明を目的とするものにも該当しないことは、明らかである。
３　本件補正についてのむすび 
　したがって、本件補正は、特許法第１７条の２第５項の各号に掲げるいずれの事項を目的とするものにも該当せず、同法第１７条の２第５項の規定に違反するものであるから、同法第１５９条第１項において読み替えて準用する同法第５３条第１項の規定により却下されるべきものである。
　よって、上記補正の却下の決定の結論のとおり決定する。
第３　本願発明について 
１　本願発明 
　本件補正は、上記のとおり却下されたので、本願の請求項１ないし２３に係る発明は、平成３０年１０月１９日に補正された特許請求の範囲の請求項１ないし２３に記載された事項により特定されるものであるところ、その請求項１に係る発明（以下「本願発明」という。）は、その請求項１に記載された事項（上記第２［理由］１（１））により特定されるとおりのものである。
２　原査定の拒絶の理由 
　原査定の拒絶の理由は、本願発明は、本願の優先権主張の日（以下、「優先日」という。）前に頒布された又は電気通信回線を通じて公衆に利用可能となった下記の引用文献１又は２に記載された発明、及び、引用文献４、５に記載された事項に基づいて、その優先日前にその発明の属する技術の分野における通常の知識を有する者が容易に発明をすることができたものであるから、特許法２９条２項の規定により特許を受けることができない、というものである。
　引用文献１：特開２０１３−１８７１８７号公報
　引用文献２：米国特許出願公開第２０１４／０２５２３２１号明細書
　引用文献４：国際公開第２００６／１１５１６５号
　引用文献５：特開２００５−０６２２２０号公報
３　引用文献 
（１）引用文献１
　引用文献１には、次の事項が記載されている。（下線は、当合議体が付した。） 
「【技術分野】
【０００１】
　本発明は、有機発光表示装置の画素配列構造に関し、より詳しくは、複数の画素が発光してイメージ（ｉｍａｇｅ）を表示する有機発光表示装置の画素配列構造に関する。」
「【００１７】
　図１は、本発明の第１実施形態に係る有機発光表示装置の画素配列構造を示す図面である。
　図１に示すように、
本発明が第１実施形態に係る有機発光表示装置の画素配列構造は、複数の第１画素１００、複数の第２画素２００、及び複数の第３画素３００を含む。
【００１８】
　ここで、
画素（ｐｉｘｅｌ）とは、イメージを表示する最小単位を意味する。
　第１画素１００、第２画素２００、及び第３画素３００の間には、各画素を駆動するためのゲートライン、データライン、駆動電源ラインなどの電源ライン、及び各画素を定義するための画素定義膜などの絶縁層などを配置することができ、第１画素１００、第２画素２００、及び第３画素３００それぞれに対応してアノード電極、有機発光層、及びカソード電極を含む有機発光素子（ｏｒｇａｎｉｃ  ｌｉｇｈｔ  ｅｍｉｔｔｉｎｇ  ｄｉｏｄｅ）を配置することができる。これら構成は従来に公知された技術であるため、説明の便宜上説明せず、各画素の形態は複数の電源ライン、画素定義膜またはアノード電極などによって定義されるが、これに限定されない。
【００１９】
　第１画素１００は、隣接する第２画素２００及び第３画素に比べて小さい面積を有しており、多角形の形態中四角形状を有している。第１画素１００は複数であり、複数の第１画素１００は互いに同一の四角形状を有している。
複数の第１画素１００は相互離隔して仮想の第１直線ＶＬ１上に配列されている。第１画素１００は緑色の光を発光し、緑色の光を発光する有機発光層を含んでいる。
　第１画素１００の中心点を正四角形の中心点とする仮想の正四角形ＶＳの第１頂点Ｐ１に第２画素２００が位置し、仮想の正四角形ＶＳの第２頂点Ｐ２に第３画素３００が位置している。
【００２０】
　第２画素２００は第１画素１００と離隔しており、仮想の正四角形ＶＳの第１頂点Ｐ１に中心点が位置している。第２画素２００は、隣接する第１画素１００に比べてさらに大きい面積を有しており、多角形の形態中八角形状を有している。第２画素２００は複数であり、複数の第２画素２００は互いに同一の八角形の形態を有している。複数の第２画素２００は第１画素１００を介在して相互離隔している。
第２画素２００は青色の光を発光し、青色の光を発光する有機発光層を含むことができる。
【００２１】
　第３画素３００は第１画素１００及び第２画素２００と離隔しており、仮想の正四角形ＶＳの第１頂点Ｐ１と隣接する第２頂点Ｐ２に中心点が位置している。第３画素３００は、隣接する第１画素１００に比べてさらに大きい面積を有すると同時に、第２画素２００と同一の面積を有しており、多角形の形態中八角形状を有している。第３画素３００は複数であり、複数の第３画素３００は互いに同一の八角形状を有している。複数の第３画素３００は第１画素１００を介在して相互離隔している。
第３画素３００は赤色の光を発光し、赤色の光を発光する有機発光層を含むことができる。
【００２２】
　複数の第３画素３００及び複数の第２画素２００それぞれは、仮想の第２直線ＶＬ２上で相互交互的に配列され、これによって第１頂点Ｐ１に中心点が位置する複数の第２画素２００、及び第２頂点Ｐ２に中心点が位置する複数の第３画素３００それぞれは、第１画素１００を囲んでいる。
　このように、第１画素１００の中心点を正四角形の中心点とする仮想の正四角形ＶＳの第１頂点Ｐ１に第２画素２００の中心点が位置し、第２頂点Ｐ２に第３画素３００の中心点が位置し、第２画素２００及び第３画素３００が同一の面積を有することによって、
第１画素１００、第２画素２００及び第３画素３００それぞれの間の距離は同一の第１長さＬ１を有し
　引用文献１には以下の図が示されている。
　上記事項から、引用文献１には以下のことが記載されていると認められる。
ア　有機発光表示装置の画素配列構造において、イメージを表示する最小単位を意味する、複数の第１画素１００、複数の第２画素２００、及び複数の第３画素３００を含んでいること（【００１７】、【００１８】）。
イ　第１画素１００は緑色の光を発光し、緑色の光を発光する有機発光層を含み、第２画素２００は青色の光を発光し、青色の光を発光する有機発光層を含み、第３画素３００は赤色の光を発光し、赤色の光を発光する有機発光層を含んでいること（【００１９】−【００２１】）。
ウ　複数の第１画素１００は相互離隔して仮想の第１直線ＶＬ１上に配列されており、第１画素１００の中心点を正四角形の中心点とする仮想の正四角形ＶＳの第１頂点Ｐ１に第２画素２００が位置し、仮想の正四角形ＶＳの第２頂点Ｐ２に第３画素３００が位置しており、複数の第３画素３００及び複数の第２画素２００それぞれは、仮想の第２直線ＶＬ２上で相互交互的に配列され、これによって第１頂点Ｐ１に中心点が位置する複数の第２画素２００、及び第２頂点Ｐ２に中心点が位置する複数の第３画素３００それぞれは、第１画素１００を囲んでいること（【００１９】、【００２２】）。
エ　上記ウを踏まえて【図１】を参照すると、【図１】には、第１画素１００の中心点を正四角形の中心点とする仮想の正四角形ＶＳにおいて、第１頂点Ｐ１に位置する第２画素２００と、正四角形の中心点に位置する第１画素１００が、斜め方向に配置しており、第２頂点Ｐ２に位置する第３画素３００と、前記第１画素１００に対して仮想の第１直線ＶＬ１が延びる方向に隣接する第１画素１００が、斜め方向に配置していることが示されているものと認められる。
オ　上記ウを踏まえて【図１】を参照すると、行方向及び列方向に隣接する第２画素２００の中心点と第３画素３００の中心点との間の距離は、第１画素１００の中心点を正四角形の中心点とする仮想の正四角形ＶＳの辺（隣接する第２画素２００の中心点が位置する第１頂点Ｐ１と第３画素３００の中心点が位置する第２頂点Ｐ２とを結ぶ辺）の長さと等しく、正四角形ＶＳを構成する４辺の長さは全て等しいことから、第２画素２００又は第３画素３００の中心点と、この中心点に対して行方向及び列方向に隣接する４つの第３画素３００又は第２画素２００の中心点との間の距離が同一であることが示されているものと認められる。
カ　画素配列構造に関し、１行目（仮想の第２直線ＶＬ２上）で相互交互的に配列される複数の第３画素３００及び複数の第２画素２００と、２行目（仮想の第１直線ＶＬ１上）に配列される複数の第１画素１００は、第３画素３００及び第２画素２００の画素１個ずつに対応して、その画素の斜め右下に第１画素１００が１つずつ配置されており、３行目で相互交互的に配列される複数の第２画素２００及び複数の第３画素３００と、４行目に配列される複数の第１画素１００は、第２画素２００及び第３画素３００の画素１個ずつに対応して、その画素の斜め右下に第１画素１００が１つずつ配置されており、５行目で相互交互的に配列される複数の第３画素３００及び複数の第２画素２００と、６行目に配列される複数の第１画素１００は、第３画素３００及び第２画素２００の画素１個ずつに対応して、その画素の斜め右下に第１画素１００が１つずつ配置されていること（【００１９】、【００２２】、【図１】）。
　上記ア〜カより、引用文献１に記載された発明（以下、「引用発明」という。）を、本願発明に即して整理すれば次のとおりである。
「有機発光表示装置の画素配列構造において、イメージを表示する最小単位を意味する、複数の第１画素１００、複数の第２画素２００、及び複数の第３画素３００を含んでおり（上記ア参照）、
　第１画素１００は緑色の光を発光し、緑色の光を発光する有機発光層を含み、第２画素２００は青色の光を発光し、青色の光を発光する有機発光層を含み、第３画素３００は赤色の光を発光し、赤色の光を発光する有機発光層を含んでおり（上記イ参照）、
　第１画素１００の中心点を正四角形の中心点とする仮想の正四角形ＶＳにおいて、第１頂点Ｐ１に位置する第２画素２００と、正四角形の中心点に位置する第１画素１００が、斜め方向に配置しており、第２頂点Ｐ２に位置する第３画素３００と、前記第１画素１００に対して仮想の第１直線ＶＬ１が延びる方向に隣接する第１画素１００が、斜め方向に配置しており（上記エ参照）、
　第２画素２００又は第３画素３００の中心点と、この中心点に対して行方向及び列方向に隣接する４つの第３画素３００又は第２画素２００の中心点との間の距離が同一であり（上記オ参照）、
　画素配列構造に関し、１行目（仮想の第２直線ＶＬ２上）で相互交互的に配列される複数の第３画素３００及び複数の第２画素２００と、２行目（仮想の第１直線ＶＬ１上）に配列される複数の第１画素１００は、第３画素３００及び第２画素２００の画素１個ずつに対応して、その画素の斜め右下に第１画素１００が１つずつ配置されており、３行目で相互交互的に配列される複数の第２画素２００及び複数の第３画素３００と、４行目に配列される複数の第１画素１００は、第２画素２００及び第３画素３００の画素１個ずつに対応して、その画素の斜め右下に第１画素１００が１つずつ配置されており、５行目で相互交互的に配列される複数の第３画素３００及び複数の第２画素２００と、６行目に配列される複数の第１画素１００は、第３画素３００及び第２画素２００の画素１個ずつに対応して、その画素の斜め右下に第１画素１００が１つずつ配置されている（上記カ参照）、
　有機発光表示装置の画素配列構造（上記ア参照）。」
（２）引用文献４
　引用文献４には、次の事項が記載されている。（下線は、当合議体が付した。） 
「 [0004]　一方、特許文献１で提案されているサブピクセルの配置である場合は、
図２（ａ）に示すように、１画素が赤（Ｒ）、緑（Ｇ）、青（Ｂ）、及び、緑（Ｇ）の４つのサブピクセルにより構成される
「[0005] 
本発明は、
Ｒ、Ｇ、Ｂ、及び、Ｇの４つのサブピクセルを含む画素により画像が表示される場合に、
「[0029] （実施例１） 
以下に、本発明の
赤色（Ｒ）及び緑色（Ｇ）のサブピクセルペアと、青色（Ｂ）及び緑色（Ｇ）のサブピクセルペアとを含む画素（ＲＧＢＧ画素）により画像が構成される表示装置
　引用文献４には以下の図が示されている。
　上記事項から、引用文献４には以下の技術的事項が記載されていると認められる。
「赤色（Ｒ）及び緑色（Ｇ）のサブピクセルペアと、青色（Ｂ）及び緑色（Ｇ）のサブピクセルペアとを含む画素（ＲＧＢＧ画素）により画像が構成される表示装置において、Ｒ、Ｇ、Ｂ、及び、Ｇの４つのサブピクセルを含む画素により画像が表示される」という技術的事項。
４　対比
　本願発明と引用発明とを対比すると、次のことがいえる。
（１）引用発明の「有機発光表示装置の画素配列構造」は、本願発明の「ピクセル構造」に相当する。
（２）「有機発光表示装置」においては、ＲＧＢからなる色を表示するための画素である、赤色の画素、緑色の画素、青色の画素が、サブピクセルと呼ばれるものであることは、技術常識である。
　引用発明において、「緑色の光を発光し、緑色の光を発光する有機発光層を含」む「第１画素１００」、「青色の光を発光し、青色の光を発光する有機発光層を含」む「第２画素２００」、及び、「赤色の光を発光し、赤色の光を発光する有機発光層を含」む「第３画素３００」は、「イメージを表示する最小単位を意味」し、さらに、上記技術常識より、サブピクセルを意味する。
（３）上記（２）より、引用発明の「第１画素１００の中心点を正四角形の中心点とする仮想の正四角形ＶＳにおいて、第１頂点Ｐ１に位置する第２画素２００と、正四角形の中心点に位置する第１画素１００が、斜め方向に配置しており、第２頂点Ｐ２に位置する第３画素３００と、前記第１画素１００に対して仮想の第１直線ＶＬ１が延びる方向に隣接する第１画素１００が、斜め方向に配置して」いることにおいて、「斜め方向に配置して」いる「第１頂点Ｐ１に位置する第２画素２００」と「正四角形の中心点に位置する第１画素１００」は、本願発明の「斜線状に配列された第１サブピクセルと第２サブピクセル」に相当し、「斜め方向に配置して」いる「第２頂点Ｐ２に位置する第３画素３００」と「前記第１画素１００に対して仮想の第１直線ＶＬ１が延びる方向に隣接する第１画素１００」は、本願発明の「斜線状に配列された第３サブピクセルと第４サブピクセル」に相当する。
（４）上記（２）より、引用発明において、「第１頂点Ｐ１に位置する第２画素２００」は「青色」のサブピクセルであり、「第２頂点Ｐ２に位置する第３画素３００」は「赤色」のサブピクセルであることから、このことは、本願発明の「前記第１サブピクセルと前記第３サブピクセルは異なる基本色を備え」ることに相当する。
（５）上記（２）より、引用発明において、「正四角形の中心点に位置する第１画素１００」と「前記第１画素１００に対して仮想の第１直線ＶＬ１が延びる方向に隣接する第１画素１００」は「緑色」のサブピクセルであることから、このことは、本願発明の「前記第２サブピクセルと前記第４サブピクセルは同一の基本色を備え」ることに相当する。
（６）上記（２）より、引用発明において、「第１画素１００」は「緑色」のサブピクセルであり、「第２画素２００」は「青色」のサブピクセルであり、「第３画素３００」は「赤色」のサブピクセルであり、引用発明において、「イメージを表示する最小単位を意味する、複数の第１画素１００、複数の第２画素２００、及び複数の第３画素３００を含んで」いることは、「表示する」「イメージ」を構成する色が３色からなることを意味するから、このことは、本願発明の「前記基本色は３色の基本色を含」んでいることに相当する。
（７）上記（４）を踏まえると、引用発明において、「第２画素２００又は第３画素３００の中心点と、この中心点に対して行方向及び列方向に隣接する４つの第３画素３００又は第２画素２００の中心点との間の距離が同一であ」ることは、本願発明の「前記第１サブピクセルの中心と４つの隣り合う４つの第３サブピクセルの中心との間の距離が同一であり、前記第３サブピクセルの中心と４つの隣り合う４つの第１サブピクセルの中心との間の距離が同一である」ことに相当する。
　してみると、本願発明と引用発明との間における一致点及び相違点は下記の通りである。
［一致点］
「ピクセル構造であって、斜線状に配列された第１サブピクセルと第２サブピクセルを含み、斜線状に配列された第３サブピクセルと第４サブピクセルを含み、前記第１サブピクセルと前記第３サブピクセルは異なる基本色を備え、前記第２サブピクセルと前記第４サブピクセルは同一の基本色を備え、前記基本色は３色の基本色を含み、前記第１サブピクセルの中心と４つの隣り合う４つの第３サブピクセルの中心との間の距離が同一であり、前記第３サブピクセルの中心と４つの隣り合う４つの第１サブピクセルの中心との間の距離が同一である、ピクセル構造。」
［相違点］
　本願発明は、「順に交互に配列された第１ピクセル単位と第２ピクセル単位を含」み、「前記第１ピクセル単位」が「斜線状に配列された第１サブピクセルと第２サブピクセルとを含み、前記第２ピクセル単位」が「斜線状に配列された第３サブピクセルと第４サブピクセルとを含み、」「前記第１ピクセル単位は、前記第１ピクセル単位の前記第１サブピクセルおよび前記第２サブピクセルから、ならびに前記第１ピクセル単位の右側、左側、上側、および下側の４つの隣り合う第２ピクセル単位における４つの第３サブピクセルのうちの１つまたは複数の第３サブピクセルからの３色の基本色を混色することによって３色の基本色を表示し、」「前記第２ピクセル単位は、前記第２ピクセル単位の前記第３サブピクセルおよび前記第４サブピクセルから、ならびに前記第２ピクセル単位の右側、左側、上側、および下側の４つの隣り合う前記第１ピクセル単位における４つの第１サブピクセルのうちの１つまたは複数の第１サブピクセルからの３色の基本色を混色することによって３色の基本色を表示」するのに対し、引用発明は、ピクセル単位の存在やサブピクセル間の混色の状態は明らかでない点。
５　判断 
　上記相違点について検討する。
（１）有機発光表示装置に関する技術分野においては、ＲＧＢの３色を用いて画像を表示することが技術常識であるから、引用発明の「有機発光表示装置」は、ＲＧＢの３色を用いて画像を表示する表示装置であるものと認められる。
（２）引用発明は、以下に述べるとおり、４行単位での各色の画素（サブピクセル）の比率が、第１画素１００（緑色のサブピクセル）：第２画素２００（青色のサブピクセル）：第３画素３００（赤色のサブピクセル）で、２：１：１となっているものと認められる。
ア　引用発明は、「画素配列構造に関し、１行目（仮想の第２直線ＶＬ２上）で相互交互的に配列される複数の第３画素３００及び複数の第２画素２００と、２行目（仮想の第１直線ＶＬ１上）に配列される複数の第１画素１００は、第３画素３００及び第２画素２００の画素１個ずつに対応して、その画素の斜め右下に第１画素１００が１つずつ配置されており、３行目で相互交互的に配列される複数の第２画素２００及び複数の第３画素３００と、４行目に配列される複数の第１画素１００は、第２画素２００及び第３画素３００の画素１個ずつに対応して、その画素の斜め右下に第１画素１００が１つずつ配置されており、５行目で相互交互的に配列される複数の第３画素３００及び複数の第２画素２００と、６行目に配列される複数の第１画素１００は、第３画素３００及び第２画素２００の画素１個ずつに対応して、その画素の斜め右下に第１画素１００が１つずつ配置されている」という構成を有している。
イ　有機発光表示装置の画素配列構造においては、１つの赤色の画素（サブピクセル）、１つの緑色の画素（サブピクセル）、１つの青色の画素（サブピクセル）を１組としたピクセルの組を行方向および列方向に繰り返し配置することが一般的に行われていることである。
　してみると、引用発明において、７行目以降の画素配列構造においても、上記イと同様の画素配列構造となっているもの、すなわち、７行目は３行目と同じ画素配列となり、８行目は４行目と同じ画素配列となっており、列方向には４行単位で繰り返し配置される画素配列構造となっているものと想定される。
（３）上記３　（２）で述べたように、引用文献４には、「赤色（Ｒ）及び緑色（Ｇ）のサブピクセルペアと、青色（Ｂ）及び緑色（Ｇ）のサブピクセルペアとを含む画素（ＲＧＢＧ画素）により画像が構成される表示装置において、Ｒ、Ｇ、Ｂ、及び、Ｇの４つのサブピクセルを含む画素により画像が表示される」という技術的事項が記載されていると認められる。
　該技術的事項において、「赤色（Ｒ）及び緑色（Ｇ）のサブピクセルペアと、青色（Ｂ）及び緑色（Ｇ）のサブピクセルペアとを含む画素（ＲＧＢＧ画素）により画像が構成される」ことは、ＲＧＢＧ画素単位での各色の画素（サブピクセル）の比率が、緑色の画素（サブピクセル）：青色の画素（サブピクセル）：赤色の画素（サブピクセル）で、２：１：１となっているものと認められる。
　また、上記（１）で述べた技術常識より、該技術的事項において、「Ｒ、Ｇ、Ｂ、及び、Ｇの４つのサブピクセルを含む画素により画像が表示される」ことは、ＲＧＢの３色を用いて画像を表示することを意味する。
（４）上記（１）〜（３）より、引用発明と引用文献４記載の技術的事項は共に、各色の画素（サブピクセル）の比率が、第１画素１００（緑色のサブピクセル）：第２画素２００（青色のサブピクセル）：第３画素３００（赤色のサブピクセル）で、２：１：１となって配置される画素配列構造を有し、ＲＧＢの３色を用いて画像を表示する表示装置に関する技術分野で共通しているといえる。
（５）してみると、引用発明において、「斜め方向に配置して」いる、「青色」のサブピクセルである「第１頂点Ｐ１に位置する第２画素２００」と、「緑色」のサブピクセルである「正四角形の中心点に位置する第１画素１００」とを、引用文献４記載の技術的事項と同様にサブピクセルペア（以下、「サブピクセルペアＡ」という。）とし、「斜め方向に配置して」いる、「赤色」のサブピクセルである「第２頂点Ｐ２に位置する第３画素３００」と、「緑色」のサブピクセルである「前記第１画素１００に対して仮想の第１直線ＶＬ１が延びる方向に隣接する第１画素１００」とを、引用文献４記載の技術的事項と同様にサブピクセルペア（以下、「サブピクセルペアＢ」という。）として、これら４つのサブピクセルを含む画素（ＲＧＢＧ画素）によりＲＧＢの３色を用いた画像を表示するように構成することは、当業者にとって格別困難なことではない。
（６）上記（５）のようにサブピクセルペアＡ、Ｂを構成することで、本願発明の「前記第１ピクセル単位」が「斜線状に配列された第１サブピクセルと第２サブピクセルとを含み、前記第２ピクセル単位」が「斜線状に配列された第３サブピクセルと第４サブピクセルとを含」む構成が満たされるものと認められる。
　また、引用発明において、このように構成したサブピクセルＡ、Ｂにおける４つのサブピクセルを含む画素（ＲＧＢＧ画素）によりＲＧＢの３色を用いた画像を表示するように構成することは、これら４つのサブピクセルによりＲＧＢの３色が混色した画像を表示することを意味し、このことは、本願発明の、「前記第１ピクセル単位は、前記第１ピクセル単位の前記第１サブピクセルおよび前記第２サブピクセルから、ならびに前記第１ピクセル単位の右側、左側、上側、および下側の４つの隣り合う第２ピクセル単位における４つの第３サブピクセルのうちの１つまたは複数の第３サブピクセルからの３色の基本色を混色することによって３色の基本色を表示し、」「前記第２ピクセル単位は、前記第２ピクセル単位の前記第３サブピクセルおよび前記第４サブピクセルから、ならびに前記第２ピクセル単位の右側、左側、上側、および下側の４つの隣り合う前記第１ピクセル単位における４つの第１サブピクセルのうちの１つまたは複数の第１サブピクセルからの３色の基本色を混色することによって３色の基本色を表示」することを意味する。
（７）引用発明は、「複数の第１画素１００は相互離隔して仮想の第１直線ＶＬ１上に配列され、複数の第３画素３００及び複数の第２画素２００それぞれは、仮想の第２直線ＶＬ２上で相互交互的に配列され」るものであるから、引用発明において上記キのようにサブピクセルペアを構成することは、サブピクセルペアＡ、Ｂが、仮想の第１直線ＶＬ１と第２直線ＶＬ２が延びる方向に相互交互的に配列されることを意味し、このことは、本願発明の「順に交互に配列された第１ピクセル単位と第２ピクセル単位」に相当する。
（８）上記（５）〜（７）より、引用発明において、引用文献４記載の技術的事項と同様にして、サブピクセルペアＡ、Ｂを構成し、サブピクセルペアＡ、Ｂを構成する４つのサブピクセルを含む画素（ＲＧＢＧ画素）によりＲＧＢの３色を用いた画像を表示するように構成して、上記相違点に係る構成を設けることは、当業者にとって格別困難なことではない。
　したがって、本願発明は、引用発明及び引用文献４に記載された技術的事項に基づいて、当業者が容易に発明をすることができたものであるから、特許法２９条２項の規定により特許を受けることができない。
第４　むすび 
　以上のとおり、本願発明は、特許法２９条２項の規定により特許を受けることができないから、他の請求項に係る発明について検討するまでもなく、本願は拒絶されるべきものである。
　よって、結論のとおり審決する。